(57)【要約】      （修正有）【課題】予め記憶された認証情報が入力される場合にのみ、連携可能な情報処理装置及び情報処理システムを提供する。【解決手段】情報処理装置は、連携対象の装置を使用する権限があるかを認証するときに用いられる認証情報を受け付ける受付手段と、前記受付手段により受け付けた認証情報を前記連携対象の装置に送信する送信手段と、前記送信手段により送信された認証情報により認証が成功した場合、前記連携対象の装置と連携する連携手段とを有する。【選択図】図１
2010146172.tif 000002
【特許請求の範囲】
【請求項１】
連携対象の装置を使用する権限があるかを認証するときに用いられる認証情報を受け付ける受付手段と、
前記受付手段により受け付けた認証情報を前記連携対象の装置に送信する送信手段と、
前記送信手段により送信された認証情報により認証が成功した場合、前記連携対象の装置と連携する連携手段と
を有する情報処理装置。
【請求項２】
連携対象の装置を使用する権限があるかを認証するときに用いられる認証情報を記憶する記憶手段と、
認証情報を受け付ける受付手段と、
前記記憶手段に記憶された認証情報と、前記受付手段により受け付けた認証情報とを用いて認証する認証手段と、
前記認証手段により認証が成功した場合、前記連携対象の装置と連携する連携手段と
を有する情報処理装置。
【請求項３】
前記連携手段は、
前記連携対象の装置との通信を暗号化する暗号化手段
をさらに有する請求項１又は２に記載の情報処理装置。
【請求項４】
前記連携手段が、新たな連携対象の装置と連携する場合には、前記暗号化手段は、暗号化に用いる情報を更新する
請求項３に記載の情報処理装置。
【請求項５】
前記連携手段による連携開始後、予め定められた時間を経過した場合には、前記暗号化手段は、暗号化に用いる情報を更新する
請求項３に記載の情報処理装置。
【請求項６】
前記連携対象の装置の構成が変化した場合には、前記暗号化手段は、暗号化に用いる情報を更新する
請求項３に記載の情報処理装置。
【請求項７】
第２の情報処理装置を使用する権限があるかを認証するときに用いられる認証情報を送信する第１の情報処理装置と、
前記第１の情報処理装置から送信された認証情報を受信し、当該認証情報と記憶された認証情報とを用いて認証する第２の情報処理装置と
を有する情報処理システムであって、
前記第２の情報処理装置により認証が成功した場合、前記第１の情報処理装置及び第２の情報処理装置は連携する
情報処理システム。
【発明の詳細な説明】
【技術分野】
【０００１】
本発明は、情報処理装置及び情報処理システムに関する。
【背景技術】
【０００２】
特許文献１には、転送装置を介して入力された画像情報に所定の通信を施し、この画像情報を転送装置を通じて画像形成装置に出力する画像処理装置が開示されている。
特許文献２には、自機又は他機が電源投入又は遮断されたときには、自機の機種ＩＤやソフトウエアのバージョンと、他機から送られた機種ＩＤやソフトウエアのバージョンを比較し、常に連結動作が可能な機械を判定する画像形成システムが開示されている。
【０００３】
【特許文献１】特開平０９−２３８２１５号公報
【特許文献２】特開２００３−２７４０７９号公報
【発明の開示】
【発明が解決しようとする課題】
【０００４】
本発明の目的は、予め記憶された認証情報が入力される場合にのみ、連携可能な情報処理装置及び情報処理システムを提供することにある。
【課題を解決するための手段】
【０００５】
[情報処理装置]
請求項１に係る本発明は、連携対象の装置を使用する権限があるかを認証するときに用いられる認証情報を受け付ける受付手段と、前記受付手段により受け付けた認証情報を前記連携対象の装置に送信する送信手段と、前記送信手段により送信された認証情報により認証が成功した場合、前記連携対象の装置と連携する連携手段と
を有する情報処理装置である。
【０００６】
請求項２に係る本発明は、連携対象の装置を使用する権限があるかを認証するときに用いられる認証情報を記憶する記憶手段と、認証情報を受け付ける受付手段と、前記記憶手段に記憶された認証情報と、前記受付手段により受け付けた認証情報とを用いて認証する認証手段と、前記認証手段により認証が成功した場合、前記連携対象の装置と連携する連携手段とを有する情報処理装置である。
【０００７】
請求項３に係る本発明は、前記連携手段は、前記連携対象の装置との通信を暗号化する暗号化手段をさらに有する請求項１又は２に記載の情報処理装置である。
【０００８】
請求項４に係る本発明は、前記連携手段が、新たな連携対象の装置と連携する場合には、前記暗号化手段は、暗号化に用いる情報を更新する請求項３に記載の情報処理装置である。
【０００９】
請求項５に係る本発明は、前記連携手段による連携開始後、予め定められた時間を経過した場合には、前記暗号化手段は、暗号化に用いる情報を更新する請求項３に記載の情報処理装置である。
【００１０】
請求項６に係る本発明は、前記連携対象の装置の構成が変化した場合には、前記暗号化手段は、暗号化に用いる情報を更新する請求項３に記載の情報処理装置である。
【００１１】
[情報処理システム]
請求項７に係る本発明は、第２の情報処理装置を使用する権限があるかを認証するときに用いられる認証情報を送信する第１の情報処理装置と、前記第１の情報処理装置から送信された認証情報を受信し、当該認証情報と記憶された認証情報とを用いて認証する第２の情報処理装置とを有する情報処理システムであって、前記第２の情報処理装置により認証が成功した場合、前記第１の情報処理装置及び第２の情報処理装置は連携する情報処理システムである。
【発明の効果】
【００１２】
請求項１に係る本発明によれば、認証に成功した装置のみと連携し、これ以外の装置とは、連携しないようにすることができる。また、認証に用いられる認証情報以外の情報を用いる必要がないようにすることができる。
【００１３】
請求項２に係る本発明によれば、認証に成功した装置のみと連携し、これ以外の装置とは、連携しないようにすることができる。また、認証に用いられる認証情報以外の情報を用いる必要がないようにすることができる。
【００１４】
請求項３に係る本発明によれば、請求項１又は２に係る本発明により得られる効果に加え、本構成を有していない場合に比較して、セキュリティのレベルを向上させることができる。
【００１５】
請求項４に係る本発明によれば、請求項３に係る本発明により得られる効果に加え、本構成を有していない場合に比較して、セキュリティのレベルを維持することができる。
【００１６】
請求項５に係る本発明によれば、請求項３に係る本発明により得られる効果に加え、本構成を有していない場合に比較して、セキュリティのレベルを維持することができる。
【００１７】
請求項６に係る本発明によれば、請求項３に係る本発明により得られる効果に加え、本構成を有していない場合に比較して、セキュリティを向上させることができる。
【００１８】
請求項７に係る本発明によれば、認証に成功した情報処理装置のみと連携し、これ以外の装置とは、連携しないようにすることができる。また、認証に用いられる認証情報以外の情報を用いる必要がないようにすることができる。
【発明を実施するための最良の形態】
【００１９】
[第１の情報処理システム]
図１は、本発明の一実施形態である情報処理装置としての管理装置を含む、第１の情報処理システムを示す図である。図１に示すように、この情報処理システムにおいて、管理装置１０が、ネットワーク１２を介して、コピー、プリント、ファクシミリ等の複数の機能を有する複合機１４−１〜１４−ｎと接続されて構成される。
このような構成により、管理装置１０及び複合機１４−１〜１４−ｎは、互いに情報を送受信する。
【００２０】
ただし、ｎは１以上の整数であって、ｎが常に同じ数を示すとは限らない。
以下の各図において、実質的に同じ構成部分には、同じ符号が付される。
以下、「複合機１４−１〜１４−ｎ」等、複数存在しうる構成部分のいずれかが、特定されずに示される場合には、単に「複合機１４」等と略記されることがある。
また、以下、本発明に係る画像形成装置がいわゆる複合機であるとして説明するが、本発明に係る画像形成装置は、プリンタ及びファクシミリのほか、一般的なコンピュータ等でもかまわない。
【００２１】
[管理装置１０のハードウエア構成]
図２は、図１の管理装置１０のハードウエア構成を例示する図である。
図２に示すように、管理装置１０は、ＣＰＵ１００及びメモリ１０２等を含む本体１０４、入出力装置１０６、通信インターフェース（ＩＦ）１０８、記憶装置１１０及び記憶媒体１１２から構成される。
つまり、管理装置１０は、情報処理及び他の装置との通信が可能なコンピュータとしての構成部分を有している。
なお、入出力装置１０６は、表示装置、キーボード、マウス及びジョイスティック等を備え、記憶媒体１１２は、ＣＤ装置、ＦＤ装置及びＨＤＤ装置等を備える。
メモリ１０２及び記憶装置１１０は、ＣＰＵ１００に所定の動作を実行させて管理装置１０の動作を制御するプログラム、通信ＩＦ１０８等を介して複合機１４から受信した画情報、及び、管理装置１０に関する設定情報（例えば、管理者アカウントに移行するための認証情報等）などを記憶する。
【００２２】
[複合機１４のハードウエア構成]
図３は、図１の複合機１４のハードウエア構成を例示する図である。
図３に示すように、複合機１４は、ＣＰＵ１４０、メモリ１４２、ハードディスクドライブ等の記憶装置１４４、他のコンピュータとデータを送受信する通信ＩＦ１４６、タッチパネル及びディスプレイ等のユーザインターフェース（ＵＩ）装置１４８、スキャナ１５０、プリントエンジン１５２及び給紙装置１５４から構成される。これらの構成要素は、制御バス１５６を介して互いに通信可能に接続される。
メモリ１４２及び記憶装置１４４は、ＣＰＵ１４０に所定の動作を実行させて複合機１４の動作を制御するプログラム、通信ＩＦ１４６を介して管理装置１０から受信した画情報、及び、複合機１４に関する設定情報（例えば、機械管理者モードに移行するための認証情報等）などを記憶する。ここで、機械管理者とは、複合機１４の管理者であり、複合機１４の仕様（例えば、画面及びボタンの設定、用紙及びトレイの設定、画質の設定、及び、自動階調補正の有無の設定等）を変更又は設定する権限を有する。
ＵＩ装置１４８は、例えば、操作パネルであり、機械管理者を認証するための認証情報の入力（例えば、機械管理者ＩＤ及び機械管理者パスワードの入力等）などを受け付ける。
プリントエンジン１５２は、給紙装置１５４から供給された用紙に印刷を施す。
なお、以下、機械管理者ＩＤ及び機械管理者パスワードの組み合わせが入力されて機械管理者が認証されるものとして説明するが、これ以外の組み合わせ（例えば、機械管理者名及び機械管理者パスワードの組合せ等）が入力されて機械管理者が認証されてもかまわない。
【００２３】
図４において、図３のＵＩ装置１４８の操作パネル１５８が示されている。
この操作パネル１５８は、押しボタン群を有する押しボタン部１６０と、液晶表示装置及びタッチパネルを組み合わせたタッチパネル表示部１６２とを有する。
【００２４】
図４Ａは、メニュー画面を示す。メニュー画面は、複合機１４の電源（不図示）をオンにした場合等に表示される初期画面である。
図４Ａにおいて、押しボタン部１６０は、数字を設定するテンキー１６４、設定をクリアするクリアボタン１６６、操作のスタートを指示するスタートボタン１６８及び機械管理者認証のスタートを指示する認証ボタン１７０を有する。タッチパネル表示部１６２は、複合機１４が備える機能（コピー、ファックス送信及びスキャン等）に対応するボタンを有する。ここでは、タッチパネル表示部１６２は、コピーボタン１７２、ファックスボタン１７４及びスキャナボタン１７６を有する。
【００２５】
図４Ｂは、機械管理者認証画面である。図４Ａのメニュー画面で認証ボタン１７０を押下することにより、メニュー画面は、機械管理者認証画面に切り替えられる。
押しボタン部１６０は、メニュー画面と同じく、数字を設定するテンキー１６４、設定をクリアするクリアボタン１６６、操作のスタートを指示するスタートボタン１６８及び機械管理者認証のスタートを指示する認証ボタン１７０を有する。タッチパネル部１６２は、機械管理者ＩＤ入力部１７８、機械管理者パスワード入力部１８０、取消ボタン１８２及び確定ボタン１８４を有する。
機械管理者ＩＤ入力部１７８は、テンキー１６４からの入力を受け付け、機械管理者ＩＤを設定及び表示する。機械管理者パスワード入力部１８０は、テンキー１６４からの入力を受け付け、機械管理者パスワードを設定及び表示する。取消ボタン１８２は、認証情報の入力をキャンセルし、メニュー画面に切り替える。確定ボタン１８４は、設定表示された機械管理者ＩＤ及び機械管理者パスワードを確定する。
【００２６】
図５は、管理装置１０において、第１の情報処理システム１の構成要素となる複合機１４を追加する処理（Ｓ１０）を説明するフローチャートである。
このフローチャートにより示される処理は、管理装置１０において、図２のＣＰＵ１００が、メモリ１０２、記憶装置１１０及び記憶媒体１１２のいずれかに記憶されたプログラムを実行すること、及び、複合機１４において、図３のＣＰＵ１４０が、メモリ１４２、記憶装置１４４及び記憶媒体（不図示）のいずれかに記憶されたプログラムを実行することにより実現される（以下、他のフローチャートにより示される処理についても同様）。
【００２７】
ステップ１００（Ｓ１００）において、管理装置１０が、図２の入出力装置１０６を介して、情報処理システム１に追加する複合機１４を識別する値（例えば、複合機１４のＩＰアドレス等）と、この複合機１４で用いられる認証情報とが入力されたか否かを判定する。複合機１４の識別子及び認証情報が入力された場合には、ステップ１０２の処理に進み、そうでない場合には、複合機１４の識別子及び認証情報が入力されるまで、ステップ１００の判定を繰り返す。
ステップ１０２（Ｓ１０２）において、管理装置１０は、図２の通信ＩＦ１０８等を介して、ステップ１００で入力された識別子に対応する複合機１４に、ステップ１００で入力された認証情報を送信する。
【００２８】
ステップ１０４（Ｓ１０４）において、複合機１４が、図３の通信ＩＦ１４６等を介して、ステップ１０２で送信された認証情報を受信する。さらに、複合機１４は、受信した認証情報を用いて、認証可否を判定する。複合機１４は、例えば、受信した認証情報が、図３のメモリ１４２及び記憶装置１４４に記憶されている認証情報と一致するか否かを判定する。認証情報が一致しない場合には、認証に失敗したことを管理装置１０に送信し、ステップ１０６の処理に進む。一方、認証情報が一致する場合には、認証に成功したことを管理装置１０に送信して、ステップ１０８の処理に進む。
ここでは、送信された認証情報が予め記憶されている認証情報と一致するか否かを判定することによって、認証可否を判定するとして説明したが、これ以外の方法により認証可否を判定してもかまわない。
ステップ１０６（Ｓ１０６）において、管理装置１０は、入出力装置１０６に、認証に失敗した旨を示すエラーメッセージを表示する。
【００２９】
ステップ１０８（Ｓ１０８）において、管理装置１０は、複合機１４を情報処理システム１に追加する。具体的には、管理装置１０は、認証に成功した複合機１４に対し、受信した情報を復号するための秘密鍵と、この秘密鍵のペアであり、送信する情報を暗号化するための公開鍵とを生成させ、公開鍵だけを管理装置１０に送信させる。管理装置１０は、ステップ１００で入力された複合機１４の識別子及び認証情報に加えて、複合機１４により生成された公開鍵の情報を、例えばテーブル形式で、記憶装置１１０又は記憶媒体１１２に記憶する。
【００３０】
このようにして、管理装置１０において、複合機１４を情報処理システム１に追加する処理が完了すると、管理装置１０及び複合機１４は連携する。具体的には、管理装置１０は、複合機１４から画情報を受信し、受信した画情報に予め定められた画像処理（例えば、独立変倍及びシャープネス等）を施し、公開鍵を用いて暗号化し、複合機１４に送信する。一方、複合機１４は、暗号化された画情報を秘密鍵を用いて復号する。
なお、管理装置１０は、複合機１４から受信した画情報に予め定められた画像処理を施す前に、この画像処理を管理装置１０及び複合機１４のいずれで施すかを選択したり、管理装置１０が施すことのできる画像処理の種類を複合機１４に提示したりしてもよいし、予め定められた画像処理が施された画情報の一部を、管理装置１０内（例えば、図２の記憶装置１１０等）に記憶してもよい。
【００３１】
また、管理装置１０及び複合機１４の連携開始後、予め定められた時間を経過した場合及び新たな複合機１４が連携しようとする場合などには、管理装置１０は、複合機１４に対し、新たな秘密鍵及び公開鍵のペアを生成させ、管理装置１０及び複合機１４が、新たな秘密鍵及び公開鍵を用いて連携することにより、セキュリティのレベルを維持してもよい。
さらに、予め定められた時間を経過した後、管理装置１０と連携していなかった複合機１４が、再び連携しようとする場合にも、同様の処理を行い、セキュリティのレベルを維持してもよい。
また、管理装置１０は、予め定められた時間ごとに、すでに連携している複合機１４の構成要素が変化したことを検知した場合（例えば、すでに連携している複合機１４のトナーカートリッジが、純正品から非純正品に変化したことを検知した場合）にも、同様の処理を行い、セキュリティのレベルを維持してもよい。
【００３２】
図６は、図５のステップ１０８で管理装置１０が記憶するテーブル（以下、「管理テーブル」と記載）の例である。
図６に示すように、管理テーブルは、「機械管理者ＩＤ」、「機械管理者パスワード」、「ＩＰアドレス」及び「鍵」という４つのデータ項目を含む。
「機械管理者ＩＤ」及び「機械管理者パスワード」は、図５のステップ１００で入力された認証情報であり、「ＩＰアドレス」は、図５のステップ１００で入力された複合機１４の識別子であり、「鍵」は、図５のステップ１０８で生成された公開鍵（実体は、任意の長さのビットデータ）を保存するファイル名である。
ここで、複合機１４から受信した画情報に予め定められた画像処理を施したものを暗号化するには、公開鍵暗号方式による公開鍵のみを用いるものとして説明しているが、共通鍵暗号方式による共通鍵を併用してもよい。この場合、管理装置１０及び複合機１４は、まず、お互いの公開鍵を交換し、この公開鍵に基づいてそれぞれ別個に共通鍵を生成し、この共通鍵を用いて画情報などを暗号化する。次に、送信側の管理装置１０（又は複合機１４）は、共通鍵を公開鍵で暗号化し、暗号化された画情報とともに送付する。受信側の複合機（又は管理装置１０）は、自身の秘密鍵で共通鍵を復号し、この共通鍵を用いて画情報を復号する。
【００３３】
図７は、複合機１４において、自身を、第１の情報処理システム１の構成要素として追加する処理（Ｓ２０）を説明するフローチャートである。
ステップ２００（Ｓ２００）において、複合機１４は、図３のＵＩ装置１４８を介して、管理装置１０の識別子と、すでに情報処理システム１の構成要素として追加されている別の複合機１４で用いられる認証情報とが入力されたか否かを判定する。管理装置１０の識別子及び別の複合機１４の認証情報が入力された場合には、ステップ２０２の処理に進む。例えば、複合機１４−ｐにおいて、管理装置１０のＩＰアドレスと、同じネットワーク（又はサブネット）内で同じ機械管理者により管理されている複合機１４−ｑの認証情報とが入力された場合には、ステップ２０２の処理に進む（１≦ｐ，ｑ≦ｎ；ｐ，ｑはともに整数）。一方、そうでない場合には、管理装置１０の識別子及び別の複合機１４の認証情報が入力されるまで、ステップ２００の判定を繰り返す。
ステップ２０２（Ｓ２０２）において、複合機１４は、図３の通信ＩＦ１４６等を介して、ステップ２００で入力された識別子に対応する管理装置１０に、ステップ２００で入力された認証情報を送信する。
【００３４】
ステップ２０４（Ｓ２０４）において、管理装置１０が、図２の通信ＩＦ１０８等を介して、ステップ２０２で送信された認証情報を受信する。さらに、管理装置１０は、受信した認証情報が、図２の記憶装置１１０又は記憶媒体１１２に記憶されている認証情報のいずれかと一致するか否か（つまり、図６に示した管理テーブルの認証情報のいずれかと一致するか否か）を判定する。一致する認証情報がない場合には、認証に失敗したことを複合機１４に送信し、ステップ２０６の処理に進む。一方、そうでない場合には、ステップ２０８の処理に進む。
【００３５】
ステップ２０６（Ｓ２０６）において、複合機１４は、ＵＩ装置１４８に、認証に失敗した旨を示すエラーメッセージを表示する。
ステップ２０８（Ｓ２０８）において、管理装置１０は、複合機１４を情報処理システム１に追加する。具体的には、管理装置１０は、前述のステップ１０８と同じ処理を行う。
このようにして、複合機１４において、自身を情報処理システム１に追加する処理が完了すると、管理装置１０及び複合機１４は連携する。
【００３６】
なお、ステップ２０２において、複合機１４は、管理装置１０で用いられる認証情報（例えば、システム管理者ＩＤ及びシステム管理者パスワードの組合せ等）をさらに送信し、ステップ２０４において、管理装置１０が、ステップ２０２で入力された管理装置１０の認証情報が、予め記憶されている管理装置１０の認証情報と一致するか否かをさらに判定することにより、セキュリティを向上させてもよい。
また、ステップ２００において、複合機１４は、すでに情報処理システム１の構成要素となっているすべての複合機１４の認証情報が入力されたか否かを判定することにより、セキュリティを向上させてもよい。
【００３７】
[第２の情報処理システム]
図８は、本発明の一実施形態である情報処理装置としての管理装置を含む、第２の情報処理システムを示す図である。図８に示すように、この情報処理システムにおいて、複数の管理装置１０−１〜１０−ｎが、ネットワーク１２を介して、複合機１４−１〜１４−ｎと接続されて構成される。
なお、管理装置１０は、それぞれ、メモリ１０２又は記憶装置１１０に、管理テーブルを記憶する。例えば、管理装置１０−１は営業第１部の複合機１４に関する管理テーブルを記憶し、管理装置１０−２は営業第２部の複合機１４に関する管理テーブルを記憶し、管理装置１０−３は営業第３部の複合機１４に関する管理テーブルを記憶する。
【００３８】
ここで、営業第１部の複合機１４−１〜１４−ｐにおいて、管理装置１０−１のＩＰアドレスが入力され、営業第２部の複合機１４−ｑ〜１４−ｒにおいて、管理装置１０−２のＩＰアドレスが入力され、営業第３部の複合機１４−ｓ〜１４−ｔにおいて、管理装置１０−３のＩＰアドレスが入力される場合を例に説明する（１≦ｐ，ｑ，ｒ，ｓ，ｔ≦ｎ；ｐ，ｑ，ｒ，ｓ，ｔはいずれも整数）。
このような場合、複合機１４−１〜１４−ｐは、管理装置１０−１の管理テーブルに基づいて認証され、管理装置１０−１と連携するグループとして認識される。また、複合機１４−ｑ〜１４−ｒは、管理装置１０−２の管理テーブルに基づいて認証され、管理装置１０−２と連携するグループとして認識され、複合機１４−ｓ〜１４−ｔは、管理装置１０−３の管理テーブルに基づいて認証され、管理装置１０−３と連携するグループとして認識される。つまり、管理装置１０の管理テーブルごとに、管理装置１０と連携する複合機１４のグループが認識される。
【００３９】
なお、いずれの管理装置１０と連携するかを、ユーザが管理装置１０の識別子を入力することによって決定するものとして説明したが、ユーザが管理装置１０の識別子を入力することなく決定してもかまわない。
例えば、社内の組織体制に沿って、複合機１４のグループ分けを予め決めておき、複合機１４が、所属するグループに対応付けられた管理テーブルを記憶する管理装置１０と連携するよう、ルーティングを設定してもかまわない。また、複合機１４が、複合機のＵＩ装置１４８等に、連携可能な管理装置１０の一覧を表示させ、ユーザの選択を受け付けてもかまわない。この場合、ユーザにより管理装置１０が選択されなかったときには、複合機１４は、予め定められた管理装置１０と連携する。
【図面の簡単な説明】
【００４０】
【図１】本発明の一実施形態である第１の情報処理システムを示す図である。
【図２】管理装置１０のハードウエア構成を例示する図である。
【図３】複合機１４のハードウエア構成を例示する図である。
【図４Ａ】メニュー画面を例示する図である。
【図４Ｂ】機械管理者認証画面を例示する図である。
【図５】管理装置１０において、情報処理システム１の構成要素となる複合機１４を追加する処理（Ｓ１０）を説明するフローチャートである。
【図６】管理装置１０が記憶する管理テーブルの例である。
【図７】複合機１４において、自身を、第１の情報処理システム１の構成要素として追加する処理（Ｓ２０）を説明するフローチャートである。
【図８】本発明の一実施形態である第２の情報処理システムを示す図である。
【符号の説明】
【００４１】
１          第１の情報処理システム
１０      管理装置
１００  ＣＰＵ
１０２  メモリ
１０４  本体
１０６  入出力装置
１０８  通信ＩＦ
１１０  記憶装置
１１２  記録媒体
１２      ネットワーク
１４      複合機
１４０  ＣＰＵ
１４２  メモリ
１４４  記憶装置
１４６  通信ＩＦ
１４８  ＵＩ装置
１５０  スキャナ
１５２  プリントエンジン
１５４  給紙装置
１５６  制御バス
１５８  操作パネル
１６０  押しボタン部
１６２  タッチパネル表示部
１６４  テンキー
１６６  クリアボタン
１６８  スタートボタン
１７０  認証ボタン
１７２  コピーボタン
１７４  ファックスボタン
１７６  スキャナボタン
１７８  機械管理者ＩＤ入力部
１８０  機械管理者パスワード入力部
１８２  取り消しボタン
１８４  確定ボタン
２        第２の情報処理システム
【図１】
2010146172.tif 000003
【図２】
2010146172.tif 000004
【図３】
2010146172.tif 000005
【図４Ａ】
2010146172.tif 000006
【図４Ｂ】
2010146172.tif 000007
【図５】
2010146172.tif 000008
【図６】
2010146172.tif 000009
【図７】
2010146172.tif 000010
【図８】
2010146172.tif 000011